(57)【要約】      （修正有）【課題】水に触れずにコメを撹拌して、手を添えずに水を流すことができる炊飯器のコメ洗い、こぼれ防止器具を提供する。【解決方法】炊飯器の容器の内径の直径を有し、浅いゆるやかなＵ字状の形で、コメを通さない細かい穴のメッシュ状の網をつくり、周りの縁には炊飯器の入口に引っかけて止めることができる逆Ｕ字状の引っかけ器具を数個取り付ける。更に、網の中央部分に縦棒をはめ込んで、縦棒の上部には取り外し自在に取手をつくり、下部にはコメと水を撹拌できる数個の羽を付ける。上部の取手をまわすことにより、コメと水が撹拌され洗うことができ、網により、手を添えずに水を流してコメのみを残すことができる。更に、好みの炊き具合の水の量がわかるように数種類の色分けした印を縦棒の下部に入れておく。【選択図】図２
0003205083.tif 000002
【実用新案登録請求の範囲】
【請求項１】
本考案は炊飯器の容器でコメを水洗いする時に手で撹拌せずにコメを残して水を流す方法であり、炊飯器の容器の入口の内径の丸形の形状でコメが通らない細かい穴のメッシュ状の網であり、その丸状の網の縁の部分に炊飯器の容器の縁に引っかけるように逆Ｕ字状の引っかけ器具を数個付けておき、丸形の網の中央部分には縦棒を差し込んで、その上部には下部を回すことができる取手を、はめ込み式やネジ式で付けておき、下部には数個のいろいろなシャモジ型の羽や泡立て式の集合した、丸めた細い線を付けておいて、上部の取手を回すことにより、水とコメを撹拌して洗うことができて、炊飯器の容器の縁に引っかけておくことにより、細かい穴のメッシュ状のために、水のみを流して、コメが流れないメッシュ状の器具であり、メッシュの網の中央に付けた縦棒の下部に、ご飯を炊き終わった時にご飯の柔らかい、普通、硬いとの硬さを調整する、最適な水の量がわかる色分けした印をつけておくことを特徴とする、炊飯器のコメ洗い、こぼれ防止器具。
【考案の詳細な説明】
【技術分野】
【０００１】  炊飯器でコメを水洗いする時に、手を入れて回してコメを洗い、更に、炊飯器の容器の縁に手を添えて、コメが流れるのを防ぐことに関するものである。
【背景技術】
【０００２】  炊飯器の容器でコメを水洗いする時にコメが流れるのを防ぐ器具やコメを洗う器具は存在する。
【先行技術】
【０００３】  次のように存在する。
１、いろいろな大きさの竹、ステンレス、プラスチック製などの各種の材質のザルでコメ    を入れて洗う籠。
２、コメと水を撹拌して洗う刷毛状の器具。
３、コメと水を撹拌して洗うシャモジ型の器具。
４．コメと水を撹拌して洗う泡立て式の器具。
５、炊飯器の容器の縁に引っかけて、容器の丸い円状の形の８分の１〜２分の１の大きさ    の形でコメが流れない穴のメッシュ状の網の形の器具で、容器を傾けて水のみを流し    てコメは流れない網状の器具。
【考案の概要】
【０００４】  本考案は炊飯器にコメと水を入れて洗う時に、手で撹拌してコメを洗い、手を添えずに水のみを流してできる方法であり、炊飯器の内側の径にぴったりとはまる形のコメが通らない穴の大きさのメッシュ状の網であり、その網の径の縁に引っかけ式で掛けるようにした数個の逆Ｕ字状の引っかけ器具をつくり、炊飯器の周りの縁に引っかけておいて、その丸いメッシュ状の網の中央部分に縦棒を通して、縦棒の上部には手で回すことができる取手を、はめ込み式やネジ式で付けておき、縦棒の下部にはコメと水を混ぜることができる数個のシャモジ型の羽や泡立て式の形で集合さして細い丸めた線を付けておくことにより、水とコメを手で撹拌せずに、取手をまわすだけで羽や細い線が回って、コメが撹拌して洗えて、小さい穴の網のためにコメが流れずに水のみを流すことができる、炊飯器のコメ洗い、こぼれ防止器具。
【考案が解決しようとする課題】
【０００５】  炊飯器でコメを炊く時の前に容器に水を入れて、コメと水を手で撹拌して洗い、洗った水を捨てる時に容器を一方に傾けて、炊飯器の容器の縁に手を添えて水を流す。冬場は水が冷たくて手が冷えるので、水に触れずにコメを撹拌して、手を添えずに水を流すことができれば学生、共稼ぎの夫婦、単身赴任者や老人にとっては大変に助かる。
【課題を解決するための手段】
【０００６】  炊飯器の容器にコメと水を入れて、手でコメを撹拌して洗う。洗った水を流す時に炊飯器の容器を一方に傾けて、容器の縁に手を添えて水を流す方法をとる。本考案は炊飯器の容器にコメと水を入れて、手で撹拌せずに、水を流す時も容器の縁に手を添えずに水を流す方法である。炊飯器の容器の内径の直径にして、浅い、ゆるやかなＵ字状の形で、コメを通さない細かい穴のメッシュ状のスレンレス、プラスチック製などの材質でつくった網をつくり、丸状の周りの縁には炊飯器の入口に引っかけて止めることができるＵ字状の逆の形の引っかけ器具を数個取り付けておくようにする。更に、メッシュ状の網の中央部分に縦棒をはめて込んで、縦棒の上部には下部を回すことができる取手をつくり、その取っては外せるようにはめ込み式やネジ式にしておき、縦棒の下部にはコメと水を撹拌できる数個のいろいろなシャモジ型の羽や泡立て式の形で集合さして丸めた細い線を付けておく。上部の取手をまわすことにより下部の数個の羽や細い線がまわり、コメと水が撹拌して、洗うことができる。更に、コメを通さないメッシュ状の網により、手を添えずに、水を流してもコメのみが残すことができる器具であり、更に、コメを炊く前に炊き終わった時の自分の好みのコメの硬さの炊き具合の水の量がわかるように数種類の色分けしたメモリの印を縦棒の下部に入れておくことにより、素人でも水の量がわかり、コメを炊くことができる、炊飯器のコメ洗い、こぼれ防止器具。
【考案の効果】
【０００７】  コメを洗う時に何回も水を入れて水を流して洗う。あらかじめに本考案を炊飯器の容器の丸形の入口の縁に引っかけておけば炊飯器の容器を傾けて水を流しても、細かいメッシュ状の穴であるために、コメのみを残して水は流れる。縦棒の上部の取手を回して縦棒の下部のシャモジ型の羽や泡立て式の形で集合さして丸めた細い線を回すことにより、水の冷たい季節に手を使わずに水とコメを撹拌して洗うことができて、また、コメを炊く前に炊き終わった時に硬い、普通、柔らかいとコメの硬さが素人でもわかる水の量がわかり、コメを炊くことができる、炊飯器のコメ洗い、こぼれ防止器具。
【図面の簡単な説明】
【０００８】
【図１】本考案の浅い、ゆるやかなＵ字状の形のメッシュ状の器具  （１）正面図  （２）側面図  （３）上からの図  （４）斜め図
【図２】メッシュ状の器具の中央に付けた取手と撹拌する羽  （１）正面図  （２）側面図  （３）上からの図
【図３】炊飯器の容器の縁に引っかけるための引っかけ器具  （１）正面図  （２）側面図  （３）上からの図  （４）斜め図
【図４】本考案を付けて水を流している図
【図５】本考案の羽の形の図、（１）シャモジ型の羽（２）泡立て式の形で丸めた細い線
【図６】水の量がわかる目盛りの印  （１）コメの硬さ  柔らかい  赤色  （２）コメの硬さ  普通  青色  （３）コメの硬さ  硬い  黒色
【符号の説明】
【０００９】▲１▼炊飯器のコメをいれる容器
▲２▼本考案のメッシュ状の器具の丸状の縁
▲３▼引っかけ部分
▲４▼メッシュ状の部分
▲５▼縦棒やメッシュを支えるための枠の部分
▲６▼コメ
▲７▼水
▲８▼取手
▲９▼シャモジ型の羽や、集合さして丸めた細い線
▲１０▼棒に付けた目盛り、▲１０▼−（１）赤色、▲１０―（２）青色、▲１０▼―（３）黒色
▲１１▼縦棒
【考案を実施するための形態】
【００１０】１、炊飯器の容器にコメと水を入れる。
２、炊飯器の容器の入口の丸い径の縁に本考案をはめ込んで取り付ける。
３、容器に水を入れて、上部に付けた取手を回して、下部のシャモジ型の羽や泡立て式の    集合さして丸めた細い線を回してコメと水を洗う。
４、炊飯器の容器の一方の方へ傾けて、水を流して、新たに水を入れる。
５、シャモジ型の羽や集合さした細い線でコメを洗って、水を流すのを繰り返す。
６、洗い終わったら、自分の好みのコメの硬さの炊き具合の水の量がわかる、縦棒の水の    目盛に合わせて水を入れる。
７、本考案を炊飯器の容器から外す。
８、炊飯器に容器を入れてコメを炊く。
【産業上の利用可能性】
【００１１】  本考案を付けて炊飯器の容器に入れたコメを洗い、洗ったコメの水を流す時にコメが流れずに水のみが流れる。手を入れて水とコメを撹拌したり、水を流すのに手を添えずにできたり、冬場の水の冷たい時には手を使わずにできて、コメを炊いた時の硬さに合わせた目盛りでコメを炊く時の水の量がわかるので、共稼ぎの夫婦や単身赴任者や、コメを炊くことに慣れていない人が増えているので、そんな人にとっては助かる。取付けや取り外しなどは簡単であり、若い人や初心者だけでなく、老人にとっても便利であり、日々、ご飯を炊く人々に貢献する。
【図１】
0003205083.tif 000003
【図２】
0003205083.tif 000004
【図３】
0003205083.tif 000005
【図４】
0003205083.tif 000006
【図５】
0003205083.tif 000007
【図６】
0003205083.tif 000008
【手続補正書】
【提出日】平成28年4月11日(2016.4.11)
【手続補正１】
【補正対象書類名】実用新案登録請求の範囲
【補正対象項目名】全文
【補正方法】変更
【補正の内容】
【実用新案登録請求の範囲】
【請求項１】
本考案は炊飯器の容器の入口の内径の丸形の形状でコメが通らない細かい穴のメッシュ状の網であり、その丸状の網の縁の部分に炊飯器の容器の縁に引っかけるように逆Ｕ字状の引っかけ器具を数個付けておき、丸形の網の中央部分には縦棒を差し込んで、その上部には下部を回すことができる取手をはめ込み式やネジ式で付けておき、下部には数個のいろいろなシャモジ型の羽や泡立て式の集合した、丸めた細い線を付けておいて、上部の取手を回すことにより、水とコメを撹拌して洗うことができて、炊飯器の容器の縁に引っかけておくことにより、細かい穴のメッシュ状のために、水のみを流して、コメは流れないメッシュ状の器具であり、メッシュの網の中央に付けた縦棒の下部に、ご飯を炊き終わった時にご飯の柔らかい、普通、硬いとのご飯の硬さを調整する、最適な水の量がわかる、色分けした印をつけておくことを特徴とする、炊飯器のコメ洗い、こぼれ防止器具。